(57)【要約】【課題】  レバーハンドルを備えた水栓であっても、種々の状況において気軽に水を素早く止めることができて、総合的に節水を図ることができるレバーハンドルを備えた水栓を提供する。【解決手段】先端側に吐水口１１ａを設けた吐水管１１の他端側に、内部に貫通する通水路１２ａを設けた球体状のジョイント体１２を取り付け、該ジョイント体１２を、頭部２１にジョイント体１２の収納空間１２ａを有すると共に、内部に給水路２２を形成した本体２と組み合わせ、該本体２について、ジョイント体１２の吐水管１１側に、吐水管１１が移動可能なように開口部２１ｂを形成すると共に、吐水管１１が水平位置にある時に給水路２２に通じる給水部２１ｃを、ジョイント体１２の通水路１２ａの出口側に形成することで、吐水管１１自体が、吐水動作を操作するためのレバーハンドルとして機能し、吐水が、吐水管１１が水平位置にあるときに行われ、吐水の停止が、吐水管１１を上方に動かすことで行われる。【選択図】図1
2008266972.tif 000002
【特許請求の範囲】
【請求項１】
吐水口を有する吐水管と、吐水動作操作用のレバーハンドルを備えた水栓であって、
吐水管自体が、吐水動作を操作するためのレバーハンドルとして機能することを特徴とする、レバーハンドル兼用水栓。
【請求項２】
吐水口を有する吐水管と、吐水動作操作用のレバーハンドルを備えた水栓であって、
吐水管自体が、吐水動作を操作するためのレバーハンドルとして機能し、
吐水動作について、吐水が、レバーハンドルとして機能する吐水管が特定位置にあるときに行われ、吐水の停止が、レバーハンドルとして機能する吐水管を、吐水管が特定位置以外になるように動かすことで行われるように構成したことを特徴とする、レバーハンドル兼用水栓。
【請求項３】
先端側に吐水口を設けた吐水管の他端側に、内部に貫通する通水路を設けた球体状のジョイント体を取り付け、
該ジョイント体を、頭部にジョイント体の収納空間を有すると共に、内部に給水路を形成した本体と組み合わせ、
該本体について、ジョイント体の吐水管側に、吐水管が上下のいずれか若しくは両方の方向に移動可能なように開口部を形成すると共に、吐水管が特定位置にある時に給水路に通じる給水部を、ジョイント体の通水路の出口側に形成することで、
吐水管自体が、吐水動作を操作するためのレバーハンドルとして機能し、
吐水動作について、吐水が、レバーハンドルとして機能する吐水管が特定位置にあるときに行われ、吐水の停止が、レバーハンドルとして機能する吐水管を、吐水管が特定位置以外になるように動かすことで行われるように構成したことを特徴とする、レバーハンドル兼用水栓。
【発明の詳細な説明】
【技術分野】
【０００１】
本発明は、レバーハンドル兼用水栓に関する。
【背景技術】
【０００２】
吐水口を有する吐水管と、吐水動作操作用のレバーハンドルを備えたシングルレバー水栓として、例えば、特許文献１に記載のものが知られている。
【０００３】
すなわち、特許文献１には、レバーハンドルを下方から上方へ向かって上動操作することにより吐出量が増大するように構成されてなるシングルレバー水栓において、前記レバーハンドルの上動を規制するストッパー突部を所定角度範囲に形成したキャップを、本体部の上端に水平面内で回動可能に設け、このキャップを回動させることにより、レバーハンドルのストッパー片がストッパー突部に当接する節水モード位置から、ストッパー突部に当接しない通常モード位置へ切替え可能に構成したものが記載されている。
該特許文献１に記載のシングルレバー水栓は、キャップを回動操作して節水モードと通常モードを容易に切替えできるようにしたものである。
【特許文献１】特開平１１−１２４８８８号公報
【発明の開示】
【発明が解決しようとする課題】
【０００４】
しかしながら、特許文献１に記載のシングルレバー水栓は、節水モードにした場合であっても、吐水口とは別に設けたレバーハンドルを操作する必要あるので、状況によって気軽に水を素早く止めることができず、総合的に節水にならない場合があった。
【０００５】
たとえば、両手に水を溜めて顔を洗う場合、水を溜めたままの両手を、吐水口より上方にあるレバーハンドルまで素早く動かすことは、吐水口自体が障害物となる上に動線距離が長い等が要因となり困難なので、顔を洗う間は、水を流したままにせざるを得ない状況にあった。
【０００６】
また、両手が石けんなどで泡まみれの場合も、その手を吐水口より上方にあるレバーハンドルまで素早く動かす間に泡が飛散する等の恐れあるので、水を流したままにせざるを得ない状況にあった。
【０００７】
従って、本発明の解決しようとする課題は、レバーハンドルを備えた水栓であっても、種々の状況において気軽に水を素早く止めることができ、総合的に節水を図ることができるレバーハンドルを備えた水栓を提供することにある。
【課題を解決するための手段】
【０００８】
本発明の課題を解決するための手段は、次のとおりである。
【０００９】
第１に、
吐水口を有する吐水管と、吐水動作操作用のレバーハンドルを備えた水栓であって、
吐水管自体が、吐水動作を操作するためのレバーハンドルとして機能することを特徴とする、レバーハンドル兼用水栓。
第２に、
吐水口を有する吐水管と、吐水動作操作用のレバーハンドルを備えた水栓であって、
吐水管自体が、吐水動作を操作するためのレバーハンドルとして機能し、
吐水動作について、吐水が、レバーハンドルとして機能する吐水管が特定位置にあるときに行われ、吐水の停止が、レバーハンドルとして機能する吐水管を、吐水管が特定位置以外になるように動かすことで行われるように構成したことを特徴とする、レバーハンドル兼用水栓。
第３に、
先端側に吐水口を設けた吐水管の他端側に、内部に貫通する通水路を設けた球体状のジョイント体を取り付け、
該ジョイント体を、頭部にジョイント体の収納空間を有すると共に、内部に給水路を形成した本体と組み合わせ、
該本体について、ジョイント体の吐水管側に、吐水管が上下のいずれか若しくは両方の方向に移動可能なように開口部を形成すると共に、吐水管が特定位置にある時に給水路に通じる給水部を、ジョイント体の通水路の出口側に形成することで、
吐水管自体が、吐水動作を操作するためのレバーハンドルとして機能し、
吐水動作について、吐水が、レバーハンドルとして機能する吐水管が特定位置にあるときに行われ、吐水の停止が、レバーハンドルとして機能する吐水管を、吐水管が特定位置以外になるように動かすことで行われるように構成したことを特徴とする、レバーハンドル兼用水栓。
【００１０】
ここで、特定位置としては、吐水管が水平である水平位置の他にも、吐水管の先端側が上昇するように０．１〜３０°傾いた傾斜位置をとることができる。
また、０〜１０°のように傾斜角度に幅を持たせたものを、本発明における特定位置として採用することもできる。
【００１１】
また、本発明のレバーハンドル兼用水栓は、吐水管自体で水温調整機能や水量調整機能を兼用することもできる。
さらに、本発明のレバーハンドル兼用水栓として、吐水管が兼用する吐水動作操作用のレバーハンドルとは別に、水温調整機能や水量調整機能を有するレバーハンドルを別に設けることもできる。
【発明の効果】
【００１２】
本発明によれば、吐水管自体が、吐水動作を操作するためのレバーハンドルとして機能し、操作を行うための動線距離が短く、障害物がないので、たとえば、両手に水を溜めて顔を洗う場合であっても、水を溜めたままの両手を、そのまま持ち上げる等の動作で、水を素早く止めることができる。
従って、本発明によれば、種々の状況において気軽に水を素早く止めることができ、総合的に節水を図ることができる。
【発明を実施するための最良の形態】
【００１３】
図１は、本発明のレバーハンドル兼用水栓に係る実施形態の縦断面図である。
【００１４】
本形態に係る本発明のレバーハンドル兼用水栓は、先端側に吐水口１１ａを設けた吐水管１１の他端側に、内部に貫通する通水路１２ａを設けた球体状のジョイント体１２を取り付け、該ジョイント体１２を、頭部２１にジョイント体１２の収納空間２１ａを有すると共に、内部に給水路２２を形成した本体２と組み合わせたものである。
【００１５】
なお、図示は省略するが、吐水口１１ａに、吐水角度調整用のノズルを取り付けることもできる。
【００１６】
該本体２について、ジョイント体１２の吐水管１１側に、吐水管１１が上方向に移動可能なように開口部２１ｂを形成すると共に、吐水管１１が水平位置にある時に給水路に通じる給水部２１ｃを、ジョイント体１２の通水路１２ａの出口側に形成する。
【００１７】
このように形成することで、吐水管１１自体が、吐水動作を操作するためのレバーハンドルとして機能する。
【００１８】
すなわち、本発明のレバーハンドル兼用水栓は、レバーハンドルとして機能する吐水管１１が水平位置にあるときに、水が給水路２２、給水部２１ｃ、通水路１２ａ、吐水口１１ａを順に通ることで、吐水が行われる。
【００１９】
そして、吐水の停止の際は、レバーハンドルとして機能する吐水管１１自体を、上方に動かす。
【００２０】
ここで、吐水管１１を上方に動かす際は、動線として最短距離で、しかも障害物がないので素早く操作することが可能になる。
【００２１】
このようにレバーハンドルとして機能する吐水管１１自体を素早く動かすことで、通水路１２ａの位置が本体２側の給水部２１ｃの位置とずれ、吐水が直ちに停止する。
【００２２】
従って、本発明のレバーハンドル兼用水栓を用いることで、両手に水を溜めて顔を洗う場合であっても、水を溜めたままの両手で素早く吐水を停止できるので、種々の状況において気軽に水を素早く止めることができ、総合的に節水を図ることができる。
【図面の簡単な説明】
【００２３】
【図１】本発明のレバーハンドル兼用水栓に係る実施形態の縦断面図である。
【符号の説明】
【００２４】
１１  吐水管
１１ａ  吐水口
１２  ジョイント体
１２ａ  通水路
２  本体
２１  頭部
２１ａ  収納空間
２１ｂ  開口部
２１ｃ  給水部
２２  給水路
【図１】
2008266972.tif 000003